(57)【要約】      （修正有）【課題】ガスに対する不透性を必要としないオストミーバッグを提供する。【解決手段】周縁部において互いに溶着された前壁１０および後壁１２を有するポーチを備えたオストミーバッグ。前壁１０および後壁１２のいずれか一方がストマからの排出物を受け入れる開口オリフィスを備えている。また、前壁１０および後壁１２の少なくとも一方が微少カプセル化された悪臭中和剤をその壁面に保持している。実際の使用において、バッグは、連結部材１８によって装着者側の連結部材２０に連結される。連結部材２０は、吻合術患者に形成した開口周縁部に装着されている。【選択図】図２
0003143900.tif 000002
【実用新案登録請求の範囲】
【請求項１】
周縁部において互いに溶着された前壁(10)および後壁(12)を有するポーチを備えたオストミーバッグであって、
前壁(10)および後壁(12)のいずれか一方がストマからの排出物を受け入れる開口オリフィス(16)を備えており、
前壁(10)および後壁(12)の少なくとも一方が微少カプセル化された悪臭中和剤(28)をその壁面上に露出させて保持しており、開口オリフィス(16)を通って進入してきた排出物と接触したとき、微小カプセルが悪臭中和成分を放出するよう構成したことを特徴とする、オストミーバッグ。
【請求項２】
上記ポーチの少なくとも一方の壁部は、ガスを逃がすベント(22)と、該ベント(22)を覆いそこを通過する臭いをフィルタリングするフィルタ(24)とを備えていることを特徴とする、請求項１記載のオストミーバッグ。
【請求項３】
上記ポーチの各壁部は、外面と内面とを有しており、
上記微少カプセル化された悪臭中和剤は、少なくとも１つの内面に保持されていることを特徴とする、請求項１記載のオストミーバッグ。
【請求項４】
上記微少カプセル化された悪臭中和剤は、上記ポーチ壁部内面の大部分において保持されていることを特徴とする、請求項３記載のオストミーバッグ。
【請求項５】
上記周縁部には、微少カプセル化された悪臭中和剤が設けられていないことを特徴とする、請求項１記載のオストミーバッグ。
【請求項６】
周縁部において互いに溶着された前壁(10)および後壁(12)を有するポーチを備えたオストミーバッグであって、
前壁(10)および後壁(12)のいずれか一方がストマからの排出物を受け入れる開口オリフィス(16)を備えており、
上記ポーチ内に挿入される部材(54)が微少カプセル化された悪臭中和剤(56)をその部材表面上に露出させて保持しており、開口オリフィス(16)を通って進入してきた排出物と接触したとき、微小カプセルが悪臭中和成分を放出するよう構成したことを特徴とする、オストミーバッグ。
【請求項７】
オストミーバッグ内に挿入される消臭材(54)であって、該消臭材は外表面を有する部材を備えており、該部材の外表面の少なくとも一部分に微少カプセル化された悪臭中和剤(56)が当該部材の表面上に露出して保持されており、当該オストミーバッグ内に進入してきた排出物と接触したとき、微小カプセルが悪臭中和成分を放出するよう構成したことを特徴とする、消臭材。
【請求項８】
上記部材は吸収材(58)をも含んでいることを特徴とする、請求項７記載の消臭材。
【考案の詳細な説明】
【技術分野】
【０００１】
本考案は、大略的には、衛生および医療製品の改善に関する。本考案は、オストミーバッグ等の個人的な衛生製品に特に適している。
【背景技術】
【０００２】
従来、オストミーバッグを製造する際には、バッグ壁部を通してガスが漏れることに起因する不快な臭いを防止するため、ガスを通さない材料を使用してきた。このような臭いは、腸内ガス内に存在しており、不要物(faecal matter)を分解するバクテリアの作用によって発生する。人間の鼻はそのような臭い(通常は、ヒドロゲンスルファイド(hydrogen sulphide)ガスによって生じる)に対して非常に敏感であり、需用者にとっては、バッグを装着している間に不快な臭いの発生しないことが重要なもんだいである。通常は、フィルタを備えたベントが提供されており、そこを通して濾過されたガスが放出され、バッグ内にガスが生成することを防いでいる。しかしながら、臭いを運ぶガスがごく少量でもバッグ壁部から漏れる場合には、フィルタの効果は無益である。
【考案の開示】
【考案が解決しようとする課題】
【０００３】
ガスに対する必要な不透性を達成するために、通常、バッグ壁部を構成するプラスチック積層体にガスを通さないバリア層が含められる。最も一般的であって効果的であるのは、バリア材料をポリ塩化ビニリデン(ＰＶＤＣ)とすることである。しかしながら、ＰＶＤＣは高価で、取り扱いの難しい材料である。ＰＶＤＣの安全な廃棄(特に焼却によるもの)に関して、安全性および環境についての関心が高まっている。さらに、ＰＶＤＣは、高度結晶構造を有しており、着用者の衣類の下で移動、湾曲、またはスライドしたときに、“パリパリ”または“カサカサ”とラミネートノイズ(laminate “noisy”)を発する。そのようなノイズは、バッグ着用者を悩ませる。
本考案は、そのような問題に留意して創案されたものである。
【課題を解決するための手段および考案の効果】
【０００４】
第１の態様において、本考案は、臭いの元を保持または回収するコンテナを提供する。このコンテナは、微少カプセル化された悪臭中和剤を保持または含有する。
【０００５】
密接に関連する第２態様において、本考案は、微少カプセル化された悪臭中和剤を保持または含有するオストミーバッグを提供する。
【０００６】
本考案は、ガスを通さないバリア層(例えば、ＰＶＤＣ)をコンテナの壁部材料内に設ける必要性を緩和する。そして、ガスを通す材料を壁部材料として使用することができる。悪臭中和剤は、放出されると、バッグ内の不快な臭いを消す。したがって、コンテナ壁部を通過するガスは、不快な臭いを伴わない。
【０００７】
微少カプセル化は、極少量の材料を層またはカプセル外層材内に閉じこめる技術として知られている。本考案においては、悪臭中和剤が微少カプセル化されており、これによって、悪臭中和剤の状態を維持し、その散乱または悪臭中和特性が早期に衰えてしまうことを防いでいる。カプセル外層材は、カプセル化された材料を例えば、機械的な破壊、温度に依存した放出、または湿気と接触することによって放出できるものである。これによって、悪臭中和剤をコントロールしつつ徐々に放出し、消臭効果を持続させる。
【０００８】
微少カプセル化は、これまで、引っ掻くことによって芳香を発するように使用されてきた(いわゆる、スクラッチアンドスニフ(scratch and sniff))。少量の芳香剤がカプセル外層材(通常は、ゼラチンをベースとするものである)内でカプセル化されており、これがカードや紙に添加される。微少カプセル化された材料を引っ掻いたり擦ったりすると、ゼラチン層が破壊されて、芳香が発せられる。
【０００９】
微少カプセル化された悪臭中和剤は、例えば、バッグまたはコンテナの壁部内面に保持される。微少カプセル化された材料は、複数の壁部内面に保持されることが好ましく、バッグのすべの壁部内面に保持されることがさらに好ましい。
【００１０】
コンテナまたはバッグの壁部が１または２以上の溶着継目に沿って互いに溶着される場合には、微少カプセル化材料は、溶着領域を除いて、ほとんどすべての壁部内面に保持される。そうしないと、微少カプセル化材料がバッグ周縁における溶着の妨げとなる。
【００１１】
バッグまたはコンテナの壁面に保持される微少カプセル化材料に加えて、またはそれに代えて、バッグまたはコンテナ内に配置した部材に微少カプセル化材料を保持させてもよい。例えば、微少カプセル化材料は、英国特許出願公開第2301350号(GB-A-2301350)明細書に開示されたような吸収材または高吸収材に保持させてもよい。
【００１２】
密接な関連を有する態様において、本考案は、オストミーバッグに挿入される製品を提供する。この製品は、微少カプセル化された悪臭中和剤を保持している。
【００１３】
密接な関連を有するさらなる態様において、本考案は、高吸収材および微少カプセル化された悪臭中和剤を含む製品を提供する。
【００１４】
密接な関連を有するさらなる態様において、本考案は、微少カプセル化された活性材料を保持または含有する医療用または衛生製品を提供する。微少カプセル化された活性材料は、実際の使用時に、微少カプセル化状態から解放される。
【００１５】
“活性材料”なる語は、使用時に医療的または衛生的機能を与えるすべての材料を意味する。例えば、そのような材料には、悪臭中和剤、薬剤、消毒剤が含まれる。
【００１６】
密接な関連を有する態様において、本考案は、不快な臭いの元を封じ込めて回収するコンテナを提供する。このコンテナは、少なくとも部分的にガスの透過を許容する壁部を少なくとも１つ備える。このコンテナは、該コンテナの壁部を通して漏れるガスの不快な臭いを消臭する悪臭中和剤を保持または含有している。
【００１７】
コンテナは、主要なガスの排出孔を構成するベントをさらに備えていることが好ましい。
【００１８】
“少なくとも部分的にガスの透過を許容する”とは、悪臭中和剤を設けない場合には不快な臭いに気づくであろう十分な量で、少なくとも幾らかのガスが材料壁部を通して漏れることが可能であることを意味する。
【考案を実施するための最良の形態】
【００１９】
添付の図面を参照して、本考案の実施形態を以下に説明する。
【００２０】
図１および２を参照すると、本考案のオストミーバッグは、前壁10および後壁12を備えており、両者はその周縁の溶着継目14において溶着されている。この具体例においては、前後の壁部が同一のプラスチック材料で構成されている。従来技術の場合と異なり、この具体例においては、壁部にはガスを通さない性質は要求されず、したがって、ガスを通さないバリア層を設ける必要がない。壁部は、適切な単一層または積層構造のプラスチックフィルム材料で構成される。例えば、熱可塑性エラストマ、ポリエーテルウレタン(polyetherurythanes)、ポリオレフィン等である。
【００２１】
後壁12は、バッグ外側に設けられた連結部材18で包囲された開口オリフィス16を上部領域に備えている。実際の使用において、バッグは、連結部材18によって装着者側の連結部材20(図２参照)に連結される。連結部材20は、吻合術患者(ostomate)に形成した開口周縁部に装着されている。
【００２２】
前壁10は、ベント開口部22を上部領域に備えている。フィルタ要素24および有孔カバー26がベント開口部22を覆うようにしてシールされている。オストミーバッグ内の過剰なガスがベント開口部22を通して外部に排出され、これによって、バッグ内側にガスが生成して圧力が生じることが防止される。バッグの壁部は、少なくとも部分的にガスを通す材料で構成されているが、一般に、壁部材料を通過するガスの発散割合は、すべてのガスを排出するには不十分である。一般に、開口オリフィスを通してバッグ内に流入するガス量は、間欠的にではあるが毎分100mlである。
【００２３】
本考案の一態様によれば、オストミーバッグは、悪臭中和剤(malodour counteractant)を保持または収容している。悪臭中和剤の目的は、バッグ内の不快な臭いを吸収すること、または快適な臭いをもってこの悪臭を修正またはかき消すことである。このようにして、バッグ内の不快な臭いが減じられる。したがって、前壁10および後壁12を通して漏れたガスが悪臭の原因となることはない。
【００２４】
この具体例においては、悪臭中和剤は微少なカプセルの形態(参照番号28)で提供され、前壁10および後壁12の内表面に保持される。図５を参照すると、悪臭中和剤は、カプセル外層材のスキンまたは層32で包囲された微少球体またはビード30としてカプセル化されている。
【００２５】
通常は数ミクロンのサイズの非常に小さな球体またはビードがコーティングまたはスキンで包囲された微少カプセルを形成する技術は知られている。材料をカプセル化することによって、その状態を維持し、材料が分散するのを防ぐことができる。材料は適当な時期にカプセル外層材から解放することができるが、その方法は、カプセル外層材によって異なる。例えば、カプセル外層材を機械的にかき乱すか、引き裂くことによって、または化学的に破壊することによって、あるいは、水分(例えば、カプセル外層材を溶解させる)や温度(例えば、カプセル外層材を溶融させる)と接触させることによって、解放を行うことができる。
【００２６】
カプセル外層材は固体であってもよい。代わりに、カプセル外層材は中間的材料であってもよい。例えば、ゼラチンベースの材料やガム複合材料、またはカプセル内に封入される材料に応じて適切に調製された混合材料等である。また、カプセル外層材は、カプセル化された微少なビードを保持する材料の表面に接着しやすいように調製されてもよい。図５を参照すると、バッグの壁部を構成する材料は、必要に応じて、単一層であってもよいし、積層構造であってもよい(図５中の破線38は、積層構造の場合を示すものである)。積層構造の場合には、最も外側の表面層にビード30が接着される。
【００２７】
ビード30内の材料は、固体であっても液体であってもよい。例えば、オイルまたは水をベースとする液体であっても、ガスであってもよい。
【００２８】
微少なカプセル状の材料を形成する１つの技術は、カプセルに封入される液体材料(例えば、オイルをベースとする材料)と液状のカプセル外層材とを乳化して、液層との境界部に微少球体またはビードを形成することである。懸濁した微少カプセル材料は、その後、適切な塗布技術を用いて、それが保持される表面に塗布される。例えば、微少カプセル材料は、適当な溶剤(例えば、水)を用いてプラスチックフィルムに直接コーティングされた溶液であってもよい。これを乾燥させると、プラスチックフィルム表面に微少球体が薄く均一に離散する。
【００２９】
代わりに、微少球体は、スクリーン印刷、タンポオフセット(tampo-offset)印刷、インクジェット印刷等の印刷技術を利用して、均一またはランダムなマトリックスもしくはアレイとして表面に塗布してもよい。
【００３０】
微少カプセル材料を形成して塗布する多くの技術が知られている。例えば、米国特許第4303432号明細書およびＰＣＴ国際公開第WO-A80/00439号明細書(Microcel Technology社)である。
【００３１】
この具体例においては、最終的にオストミーバッグを形成するための溶着が必要とされる所定領域を除いた実質的に壁部10および12の全体にわたって、微少カプセル化された悪臭中和剤が塗布されている。微少カプセル化された材料は、上記溶着領域には設けられていない。その理由は、それらの材料が溶着の一体性または強度を低下させ、また、溶着工程中に悪臭中和剤が不用意に解放されてしまうおそれがあるからである。図３および４において、交差線で示した領域40は、微少カプセル材料が塗布される領域である。特に、前壁10および後壁12の周縁領域42は、溶着継目14を形成するために、微少カプセル材料は塗布されない。また、ベント開口部22を囲みカバー26が溶着される環状領域44、および開口オリフィス16を囲み連結部材18が溶着される環状領域46も、微少カプセル材料は塗布されない。
【００３２】
実際の使用において、悪臭中和剤を微少カプセル化することによって、オストミーバッグの使用前に該悪臭中和剤が分散し消失することが防止される。オストミーバッグが吻合術患者に装着され、排泄物50(図２参照)がバッグ内に進入してバッグ壁部と接触すると、微少カプセル外層材がその材料に応じた適切な解放機構(例えば、温度、湿気、または機械的破壊)によって活性化し、図２に矢印52で示したように悪臭中和剤を放出する。悪臭中和剤を微少カプセル化することによって、排泄物とバッグ壁部との接触領域に関連して、該悪臭中和剤の放出をコントロールすることができる。したがって、悪臭中和剤の放出は、バッグ内の排泄物量およびバッグ内への排泄物の到達割合によって、ある程度コントロールできる。とくに、より多くの排泄物が回収されてバッグ壁部のより広い領域に接触するにつれて、悪臭中和剤を徐々に放出することができる。
【００３３】
必要に応じて、オストミーバッグ内に吸収材54(図１参照)を配置して水分を吸収する。例えば、吸収材54は、英国特許出願公開第2301350号明細書(GB-A-2301350)に開示されたもの等の高吸収材を含む。図６に示したように、吸収材54にも例えば、球体56で示したような微少カプセル化した悪臭中和剤を塗布してもよい。図６に示した具体例においては、吸収材54は、上下の層60、62とその間に配置した高吸収パウダ58とを一体的に設けて構成されている。微少カプセル化した悪臭中和剤は上層60に塗布されているが、必要に応じて、片面または両面に塗布すればよい。
【００３４】
非常に一般的に言うと、悪臭中和剤は、バッグ壁部を通過して漏れる不快な臭いを吸収またはかき消す同様の作用を有した微少カプセル化されていない形態で提供されてもよい。悪臭中和剤は、例えば、ストリップ、タブレット、またはバッグ内に配置される他の形態で提供されてもよい。しかしながら、悪臭中和剤は、微少カプセル化することで表面積を大きくすることができ、その放出をコントロールすることができる。
【００３５】
上述の具体例では、オストミーバッグの分野に本考案を適用した場合を説明しているが、本考案の用途はもっと広いということが理解できよう。例えば、本考案は、悪臭中和剤、薬剤、消毒剤等の活性剤をコントロールしつつ放出することが要求されるすべての衛生または医療製品に適用することができる。
【００３６】
特に重要と思われる特徴は上記の説明および実用新案登録請求の範囲に記載したが、本件出願人は、ここに説明し図面に示したすべての新規な特徴および組合せについての保護を請求する。
【図面の簡単な説明】
【００３７】
【図１】本考案のオストミーバッグの断面図である。
【図２】図１のオストミーバッグにおいて使用される中和剤の活性化を示す概略図である。
【図３】オストミーバッグの製造において悪臭中和剤が塗布される領域を示す平面図である。
【図４】オストミーバッグの製造において悪臭中和剤が塗布される領域を示す平面図である。
【図５】図１のオストミーバッグの詳細を示す拡大断面図である。
【図６】微少カプセル化された悪臭中和剤を保持し、オストミーバッグ内に挿入される吸収材を示す概略図である。
【符号の説明】
【００３８】
10  前壁
12  後壁
14  溶着継目
16  開口オリフィス
18、20  連結部材
22  ベント開口部
24  フィルタ要素
26  有孔カバー
28  微少カプセル
30  ビード
32  スキン(層)
38  破線
40  微少カプセル材料が塗布される領域
42  周縁領域
44、46  環状領域
50  排泄物
54  吸収材
56  微少カプセル
58  高吸収パウダ
60、62  層
【図１】
0003143900.tif 000003
【図２】
0003143900.tif 000004
【図３】
0003143900.tif 000005
【図４】
0003143900.tif 000006
【図５】
0003143900.tif 000007
【図６】
0003143900.tif 000008